(57)【要約】      （修正有）【課題】通過帯域を可変とするチューナブルフィルタを用いた場合でも、アンテナインピーダンス変動に強く複数のバンドに対応可能な移動通信端末用モジュール及び移動通信方法を提供する。【解決手段】送信信号を送信し受信信号を受信するアンテナ１と、上記送信信号及び上記受信信号を分離し、複数のバンドの周波数信号を選択的に通過させる可変特性を有するデュプレクサ２と、送信側から受信側に漏れこむ送信信号及び上記送信側の受信帯域雑音を所定量キャンセルする妨害信号キャンセル部４８と、上記受信信号と同じ信号周波数帯域を処理するＲＦ部２１と、上記アンテナと上記デュプレクサ間のインピーダンスを調整する調整器２９と、受信信号レベルを検波する検波器２２を備えた無線通信端末向けのモジュールであって、上記検波器２２の上記受信信号レベルを用いて上記調整器２９を調整制御する。【選択図】図１
2013168790.tif 000002
【特許請求の範囲】
【請求項１】
送信信号を送信し受信信号を受信するアンテナと、
上記送信信号及び上記受信信号を分離し、複数のバンドの周波数信号を選択的に通過させる可変特性を有するデュプレクサと、
送信側から受信側に漏れこむ送信信号及び上記送信側の受信帯域雑音を所定量キャンセルする妨害信号キャンセル部と、
上記受信信号と同じ信号周波数帯域を処理するＲＦ部と、
上記アンテナと上記デュプレクサ間のインピーダンスを調整する調整器と、
受信信号レベルを検波する検波器を備えた無線通信端末向けのモジュールであって、
上記検波器の上記受信信号レベルを用いて上記調整器を調整制御することを特徴とする無線通信端末向けのモジュール。
【請求項２】
送信信号を送信し、受信信号を受信するアンテナと、
上記送信信号及び上記受信信号を分離し、複数のバンドの周波数信号を選択的に通過させる可変特性を有するデュプレクサと、
送信側から受信側に漏れこむ送信信号及び上記送信側の受信帯域雑音を所定量キャンセルする妨害信号キャンセル部と、
上記受信信号のＳＮを検波し、終端器のインピーダンスを調整するための制御信号を出力するＳＮ検出部と、
上記受信信号と同じ信号周波数帯域を処理するＲＦ部と、
上記妨害信号キャンセル部にインピーダンスを調整する上記終端器を備えた無線通信端末向けのモジュールであって、
上記制御信号により上記終端器を調整制御することを特徴とする無線通信端末向けのモジュール。
【請求項３】
請求項１に記載の無線通信端末向けのモジュールにおいて、
上記検波器を、上記ＲＦ部に備えることを特徴とする無線通信端末向けのモジュール。
【請求項４】
請求項２に記載の無線通信端末向けのモジュールでにおいて、
上記ＳＮ検出部を上記ＲＦ部に備えることを特徴とする無線通信端末向けのモジュール。
【請求項５】
請求項１乃至請求項４のいずれか１つに記載の無線通信端末向けのモジュールにおいて、上記モジュールは移動通信端末向けのモジュールであることを特徴とする無線通信端末向けのモジュール。
【請求項６】
１つのアンテナで送信信号を送信し、受信信号を受信する無線通信方法において、
可変特性を有するデュプレクサによって、上記送信信号及び上記受信信号を分離し、複数のバンドの周波数信号を選択的に通過させ、
送信側から受信側に漏れこむ送信信号及び上記送信側の受信帯域雑音を所定量キャンセルし、
調整器によって上記アンテナと上記デュプレクサ間のインピーダンスを調整し、
上記受信信号の信号レベルを検波し、
上記検波した信号レベルを用いて上記調整器を調整制御することを特徴とする無線通信方法。
【請求項７】
１つのアンテナで送信信号を送信し、受信信号を受信する無線通信方法において、
可変特性を有するデュプレクサによって、上記送信信号及び上記受信信号を分離し、複数のバンドの周波数信号を選択的に通過させ、
妨害信号キャンセル部によって送信側から受信側に漏れこむ送信信号及び上記送信側の受信帯域雑音を所定量キャンセルし、
終端器によって上記妨害信号キャンセル部のインピーダンスを調整し、
上記受信信号のＳＮを検波し、
上記検波したＳＮを用いて上記終端器を調整制御することを特徴とする無線通信方法。
【発明の詳細な説明】
【技術分野】
【０００１】
本発明は、無線通信端末向けのモジュール及び無線通信方法に関する。特に、ＷＣＤＭＡ方式やＬＴＥ方式等の移動体のワイヤレス通信システムに対応した無線通信技術に関する。
【背景技術】
【０００２】
携帯電話には、既に実用化されているＷＣＤＭＡ（Wideband Code Division Multiple Access）方式等のほか、ＬＴＥ（Long Term Evolution）方式等の新しいデジタル無線通信方式が検討されている。ＷＣＤＭＡ方式やＬＴＥ方式では、ＦＤＤ（Frequency Division Duplex）方式（送受信同時動作）が用いられるため、送信周波数と受信周波数は異なる帯域を用いている。これらの方式においては、送受信帯域を分離するＤＰＸフィルタ（Duplexer）フィルタが用いられる。ＤＰＸフィルタ（デュプレクサ）には、一般的には非特許文献１に示されるように急峻な妨害抑圧特性を持つＳＡＷ（Surface Acoustic Wave）フィルタが用いられる。
【０００３】
ＤＰＸフィルタの性能を改善する技術としては、非特許文献２に記載されているように、フィードフォワード技術を用いたものがある。
また、非特許文献１には、フィードフォワード技術を用いた送信側の受信帯域雑音の抑圧に関する方式が、開示されている。非特許文献１には、ＷＣＤＭＡ方式のＢａｎｄ５に対応した８６９〜８９４ＭＨｚの狭帯域の受信帯域雑音をキャンセルするために、フィードフォワードループは、妨害キャンセラ（ノッチフィルタ、利得及び位相調整機能）より構成されている。
また、通過周波数を可変とするチューナブルフィルタ（送信系、受信系フィルタを含めたＤＰＸフィルタ機能含む）については、特許文献１に記載されているように、Ｌ（インダクタンス）Ｃ（容量）フィルタ構成とし、Ｃに用いる可変素子としてＭＥＭＳ容量を用いた構成について開示されている。
【先行技術文献】
【特許文献】
【０００４】
【特許文献１】米国特許第７４４６６２８号明細書
【非特許文献】
【０００５】
【非特許文献１】Mitsutaka Hikita、Nobuhiko Shibagaki、Kazuyuki Sakiyama、Hidaki Sunayama、Kenji Tachibatake、2004 IEEE Ultrasonics Symposium “INVESTIGATION OF SAW W−CDMA ANTENNA DUPLEXER AND GSM（登録商標）−BASED FEM INCLUDING DUPLEXER”
【非特許文献２】T．O’Sullivan、R．A．York、B．Noren、P．M．Asbec、IEEE Transaction ON Microwave Theory and Techniques, Vol.53,No.1,January 2005  “Adaptive Duplexer Implemented Using Single−Path and Multipath Feedforward Techniques with BST Phase Shifter”
【発明の概要】
【発明が解決しようとする課題】
【０００６】
携帯端末などのＤＰＸフィルタは、アンテナ端子に接続されるため、アンテナのインピーダンス変動に対する性能の安定化が必要である。ＤＰＸフィルタにＳＡＷフィルタを用いる方式では、フィルタの良さの指数Ｑ（Quality factor）が大きいため、アンテナインピーダンスが変動しても、ＳＡＷフィルタの通過帯域特性や帯域外抑圧度には大きな変動は無い。一方、通過帯域を可変とするチューナブルフィルタでは、ＬＣフィルタを用いるため、Ｑが小さく、アンテナインピーダンスが変動した場合には、通過帯域の損失や帯域外抑圧度の劣化が起きる可能性がある。しかしながら、上記特許文献１及び非特許文献１のどちらにも、アンテナインピーダンスの変動への対応に関する記載はない。
本発明の目的は、妨害キャンセラやチューナブルフィルタを端末に用いるときにアンテナインピーダンスが変動しても良好な通過特性と妨害抑圧特性が得られる移動通信端末用モジュール及び移動通信方法を提供することにある。
【課題を解決するための手段】
【０００７】
上記課題を解決するため、本発明では、アンテナとＤＰＸフィルタ間にアンテナインピーダンス調整手段を設け、受信信号レベルを検出しながらアンテナインピーダンスを最適値に制御するものである。
【０００８】
即ち、本発明の無線通信端末向けのモジュールは、送信信号を送信し受信信号を受信するアンテナと、上記送信信号及び上記受信信号を分離し、複数のバンドの周波数信号を選択的に通過させる可変特性を有するデュプレクサと、送信側から受信側に漏れこむ送信信号及び上記送信側の受信帯域雑音を所定量キャンセルする妨害信号キャンセル部と、上記受信信号と同じ信号周波数帯域を処理するＲＦ部と、上記アンテナと上記デュプレクサ間のインピーダンスを調整する調整器と、受信信号レベルを検波する検波器を備えた無線通信端末向けのモジュールであって、上記検波器の上記受信信号レベルを用いて上記調整器を調整制御することを本発明の第１の特徴とする。
【０００９】
また、本発明の無線通信端末向けのモジュールは、送信信号を送信し、受信信号を受信するアンテナと、上記送信信号及び上記受信信号を分離し、複数のバンドの周波数信号を選択的に通過させる可変特性を有するデュプレクサと、送信側から受信側に漏れこむ送信信号及び上記送信側の受信帯域雑音を所定量キャンセルする妨害信号キャンセル部と、上記受信信号のＳＮを検波し、終端器のインピーダンスを調整するための制御信号を出力するＳＮ検出部と、上記受信信号と同じ信号周波数帯域を処理するＲＦ部と、上記妨害信号キャンセル部にインピーダンスを調整する上記終端器を備えた無線通信端末向けのモジュールであって、上記制御信号により上記終端器を調整制御することを本発明の第２の特徴とする。
【００１０】
上記本発明の第１の特徴の無線通信端末向けのモジュールにおいて、上記検波器を、上記ＲＦ部に備えることを本発明の第３の特徴とする。
【００１１】
上記本発明の第２の特徴の無線通信端末向けのモジュールにおいて、上記ＳＮ検出部を上記ＲＦ部に備えることを本発明の第４の特徴とする。
【００１２】
上記本発明の第１の特徴乃至第４の特徴いずれかの無線通信端末向けのモジュールにおいて、上記モジュールは移動通信端末向けのモジュールであることを本発明の第５の特徴とする。
【００１３】
また、本発明の無線通信方法は、１つのアンテナで送信信号を送信し、受信信号を受信する無線通信方法において、可変特性を有するデュプレクサによって、上記送信信号及び上記受信信号を分離し、複数のバンドの周波数信号を選択的に通過させ、送信側から受信側に漏れこむ送信信号及び上記送信側の受信帯域雑音を所定量キャンセルし、調整器によって上記アンテナと上記デュプレクサ間のインピーダンスを調整し、上記受信信号の信号レベルを検波し、上記検波した信号レベルを用いて上記調整器を調整制御することを本発明の第６の特徴とする。
【００１４】
また、本発明の無線通信方法は、１つのアンテナで送信信号を送信し、受信信号を受信する無線通信方法において、可変特性を有するデュプレクサによって、上記送信信号及び上記受信信号を分離し、複数のバンドの周波数信号を選択的に通過させ、妨害信号キャンセル部によって送信側から受信側に漏れこむ送信信号及び上記送信側の受信帯域雑音を所定量キャンセルし、終端器によって上記妨害信号キャンセル部のインピーダンスを調整し、上記受信信号のＳＮを検波し、上記検波したＳＮを用いて上記終端器を調整制御することを本発明の第７の特徴とする。
【発明の効果】
【００１５】
本発明によれば、通過帯域を可変とするチューナブルフィルタを用いた場合でも、アンテナインピーダンス変動に強く複数のバンドに対応可能な移動通信端末用モジュール及び移動通信方法を提供することができる。
【図面の簡単な説明】
【００１６】
【図１】本発明の第１の実施例における移動通信端末向けのモジュールの一実施例の構成を示すブロック図である。
【図２】本発明の第２の実施例における移動通信端末向けのモジュールの一実施例の構成を示すブロック図である。
【図３】本発明の第３の実施例における移動通信端末向けのモジュールの一実施例の構成を示すブロック図である。
【図４】本発明の第４の実施例における移動通信端末向けのモジュールの一実施例の構成を示すブロック図である。
【図５Ａ】本発明の無線通信端末用モジュールに使用するアンテナインピーダンス調整器２９の一実施例の構成を示すブロック図である。
【図５Ｂ】本発明の無線通信端末用モジュールに使用する終端器２０７の一実施例の構成を示すブロック図である。
【図６】本発明の無線通信端末モジュール及び無線通信方法の一実施例のタイムチャートを示す図である。
【図７】本発明の無線通信端末モジュール及び無線通信方法の一実施例で用いるインピーダンス調整器制御を説明するフローチャートである。
【図８】ＷＣＤＭＡ、ＬＴＥ方式で用いる周波数バンドの図である。
【発明を実施するための形態】
【００１７】
以下に本発明の一実施形態について、図面等を用いて説明する。なお、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
また、各図の説明において、同一の機能を有する構成要素には同一の参照番号を付し、重複を避け、できるだけ説明を省略する。
【実施例１】
【００１８】
図１は、本発明の第１の実施例における移動通信端末向けのモジュールの一実施例の構成を示すブロック図である。本実施例の構成は、例えばＷＣＤＭＡ方式等の移動通信端末向けのモジュールを対象とするが、これに限定されるものではない。１はアンテナ、２９はアンテナインピーダンス調整器、８と１０はアンテナインピーダンス調整器２９の端子、２はチューナブルフィルタである可変周波数ＤＰＸフィルタ（可変周波数デュプレクサ）、３は可変周波数ＤＰＸフィルタ２を構成するＲｘフィルタ、４は可変周波数ＤＰＸフィルタ２を構成するＴｘフィルタ、３３、３４、３５はＤＰＸフィルタ２の端子、４８は妨害キャンセラ、５は妨害キャンセラ４８構成するＲｘフィルタ、６は妨害キャンセラ４８構成するＴｘフィルタ、７は妨害キャンセラ４８構成する終端器、１１は妨害キャンセラ４８構成する合成器、９と１２は終端器７の端子、１３はＬＮＡ（Low Noise Amp：低雑音増幅器）、１４はＰＡ（Power Amp：電力増幅器）、２７はメモリ、２１はＲＦＩＣ（Radio Frequency Integrated Circuit）ブロック、１５と１８はＲＦＩＣブロック２１を構成する局部発信器（Local Oscillator）、１６と１９はＰＬＬ（Phase Locked Loop）シンセサイザ等のＲＦＩＣブロック２１を構成する周波数シンセサイザ（以降、ローカルと称する。）、２０はＲＦＩＣブロック２１を構成するミキサ、１７はＲＦＩＣブロック２１を構成する変調器、２２はＲＦＩＣブロック２１を構成するＲＳＳＩ（Received Signal Strength Indicator）、２３はＲＦＩＣブロック２１を構成するＣＰＵ（Central Processing Unit）、３２はベースバンドブロック（ＢＢ）、２４はＢＢ３２のＳＮ（Signal/Noise比）検出器、３０はミキサ２０から出力される受信信号、３１はＢＢ３２から出力される送信信号、２６と２８はＣＰＵ２３から出力される制御信号である。
なお、可変周波数ＤＰＸフィルタ２は、アンテナ１及びアンテナインピーダンス調整器２９を介して入力される受信信号と、ＰＡ１４から出力される送信信号とを分離し、複数のバンドの周波数信号を選択的に通過させる可変特性を有する。
【００１９】
はじめに信号の流れとして、送信信号のメインパスの流れについて説明する。
ベースバンドブロック３２は、送信信号３１を生成し、生成した送信信号３１をＲＦＩＣブロック２１の変調器１７に出力する。変調器１７は、入力した送信信号３１を、送信用の局発１５及びローカル１６から出力される信号周波数（ＲＦ信号周波数）に周波数変換して、ＲＦＩＣブロック２１より、ＲＦ帯の信号としてＰＡ１４に出力する。
ＰＡ１４は、ＲＦＩＣブロック２１から入力された信号を増幅して、妨害キャンセラ４８のＲｘフィルタ５に出力すると共に、端子３４を介して可変周波数ＤＰＸフィルタ２のＴｘフィルタ４に出力する。
可変周波数ＤＰＸフィルタ２のＴｘフィルタ４は、ＰＡ１４から入力された信号からフィルタ処理により送信信号帯域を抜き出して端子３３から出力し、アンテナインピーダンス調整器２９を介してアンテナ１から無線通信用端末の送信信号として出力する。ここで、アンテナインピーダンス調整器２９は、端子１０を介してＴｘフィルタ４から信号を入力し、端子８を介してアンテナ１に出力する。
【００２０】
次に、受信信号のメインパスの流れについて説明する。アンテナ１は、受信した受信信号を、アンテナインピーダンス調整器２９を介して可変周波数ＤＰＸフィルタ２のＲｘフィルタ３に出力する。ここで、アンテナインピーダンス調整器２９は、端子８を介してアンテナ１から信号を入力し、端子１０を介してＲｘフィルタ３に出力する。
可変周波数ＤＰＸフィルタ２のＲｘフィルタ３は、端子３３を介してアンテナインピーダンス調整器２９から信号を入力し、入力した信号から、フィルタ処理により受信信号帯域を抜き出して、端子３５から妨害キャンセラ４８の合成器１１を介して、ＬＮＡ１３に出力する。
ＬＮＡ１３は、入力した信号を増幅して、ＲＦＩＣブロック２１のミキサ２０に出力する。
ミキサ２０は、入力した信号を、受信用の局発１８及びローカル１９から出力される信号周波数（ベースバンド信号周波数）に周波数変換して、ＲＦＩＣブロック２１より、受信信号３０としてベースバンドブロック３２に出力する。同時に、ミキサ２０は、受信信号３０をＲＳＳＩ２２に出力する。
ＲＳＳＩ２２は、入力した受信信号３０の受信信号レベルを検出して、検出した受信信号レベル値をＣＰＵ２３に出力する。
【００２１】
ＣＰＵ２３は、アンテナインピーダンス調整器２９を構成する素子のパラメータがデフォルト状態である場合には、入力された受信信号レベルをメモリ２７に出力する。メモリ２７は、制御信号２８を介して入力された受信信号レベルを記憶する。ＣＰＵ２３は、アンテナインピーダンス調整器２９を構成する素子のパラメータを、デフォルト状態のパレメータから１つずつパラメータを変更するように制御信号をアンテナインピーダンス調整器２９に出力する。そして、パラメータの変更の都度、ＲＳＳＩ２２から入力された受信信号レベルと、アンテナインピーダンス調整器２９の前回の状態の場合の受信信号レベルとを比較し、大きい値の受信信号レベルをメモリ２７に出力して記憶させる。即ち、ＣＰＵ２３は、受信信号レベルの最大値とその状態の時のアンテナインピーダンス調整器２９を構成する素子のパラメータとをメモリ２７に記憶または更新させる。
【００２２】
本発明の可変周波数ＤＰＸフィルタ２は、複数Ｂａｎｄの送受信を可能とするため、Ｔｘフィルタ４とＲｘフィルタ３は、周波数可変としている。可変する周波数帯域は、例えば、図８に示す３ＧＰＰ（Third Generation Partnership Project）の規格として決められているバンドに、対応可能な周波数帯域とする。
また、本発明の可変周波数ＤＰＸフィルタは、周波数可変とすることで従来の固定周波数方式に比べて妨害波の抑圧度が低下する。特に、ＷＣＤＭＡ方式などの端末では、最も大きな妨害波は端末自体から基地局に向かって送信する送信信号である。
【００２３】
本第１の実施例では、可変周波数ＤＰＸフィルタ２のＲｘ帯雑音の抑圧度が２０〜３０ｄＢ程度であり、Ｔｘ帯の抑圧度が２０〜３０ｄＢ程度と、どちらも小さい。このことから、送信信号の受信側への漏れこみをキャンセルする妨害波キャンセラ４８を用いる。妨害キャンセラ４８は、可変周波数ＤＰＸフィルタ２を介して受信側に漏れこんでくる送信信号と送信信号に含まれる受信帯雑音をキャンセルする。このため、可変周波数ＤＰＸフィルタ２を通る信号と妨害キャンセラ４８を通る信号の相関を取る必要があり、可変周波数ＤＰＸフィルタ２と同じ構成要素を用いる。
即ち、妨害キャンセラ４８は、Ｒｘフィルタ３とほぼ同等特性を備えるＲｘフィルタ５、終端器７、Ｔｘフィルタ４とほぼ同等特性を備えるＴｘフィルタ６、及び、妨害キャンセラ４８の出力をＬＮＡ１３の入力に合成する合成器１１で構成され、フィードフォワードループの構成としている。
【００２４】
ここで、終端器７のインピーダンスは、アンテナ１のインピーダンスと同じ値に設定する。このフィードフォワードループでは、可変周波数ＤＰＸフィルタ２を介して送信系から受信系に漏洩してきた送信信号、及び、同じく可変周波数ＤＰＸフィルタ２を介して送信系から受信系に漏洩してきた受信信号帯の雑音と同等の信号を生成し、合成器１１において同相、または逆相で合成して送信信号と受信帯雑音をキャンセルする。
【００２５】
図１において、Ｒｘフィルタ５は、受信信号の周波数帯域を通し、かつ、送信信号の周波数帯域に対してほぼ全反射のインピーダンスである。このため、Ｒｘフィルタ５を接続することによる送信信号の損失が殆どないという利点がある。
また同様に、Ｔｘフィルタ６は、送信信号の周波数帯域を通し、かつ、受信信号の周波数帯域に対してほぼ全反射のインピーダンスである。このため、合成器１１を介してＴｘフィルタ６に漏れこんでくる受信信号が殆どない。従って、受信信号の損失も殆どないという利点がある。
【００２６】
また、図１において、アンテナ１のインピーダンスが外部の影響により変動した場合には、可変周波数ＤＰＸフィルタ２の端子３３からアンテナ１側を見たインピーダンスが５０Ωからずれる。このインピーダンのずれによって、Ｒｘフィルタ３とＴｘフィルタ４の通過帯域の損失の増大及び帯域外抑圧度の劣化が発生すると共に、妨害キャンセラ４８を通る信号との相関も取れなくなり、合成器１１でのキャンセル効果にも劣化が発生する。
これらの損失の増大及び劣化の発生を防ぐため、ＣＰＵ２３からアンテナインピーダンス調整器２９に制御信号２６を出力し、制御信号２６を用いてアンテナインピーダンス調整器２９内の可変素子を調整し、可変周波数ＤＰＸフィルタ２の端子３３からアンテナ１側を見たインピーダンスが５０Ωに近くなるようにする。
【００２７】
図５Ａによって、本発明の無線通信端末用モジュールに使用するアンテナインピーダンス調整器の一実施例を説明する。図５Ａは、アンテナインピーダンス調整器２９の一実施例の構成を示すブロック図である。３７と３８は可変容量キャパシタ、３９と４０は固定インダクタ、４１は切替スィッチ、８はアンテナ１を接続するための端子、１０はＲｘフィルタ３及びＴＸフィルタ４を接続するための端子である。可変容量キャパシタ３７及び３８、並びに、固定インダクタ３９及び４０は、それぞれ、アンテナインピーダンス調整器２９を構成する素子の１つであり、アンテナインピーダンス調整器２９のパラメータを変更するための素子である。
図５Ａのアンテナインピーダンス調整器２９においては、制御信号２６に基づいて、切替スィッチ４１と可変容量キャパシタ３７及び可変容量キャパシタ３８を制御し、受信する帯域に応じて、入力端子８が接続するインダクタンスを固定インダクタ３９または固定インダクタ４０に接続するようにしてインダクタンスを切り替え、かつ、可変容量キャパシタ３７及び３８のキャパシタの調整を行う。
【００２８】
図１において、ＣＰＵ２３は、ＲＳＳＩ２２で検出した受信信号３０の受信信号レベル値を基に制御信号２６を生成する。例えば、アンテナインピーダンスが５０Ωからずれた場合には、可変周波数ＤＰＸフィルタ２のＲｘフィルタ３の損失が増え、受信信号３０の受信信号レベル値が小さくなる。その結果、ＲＳＳＩ２２で検出する受信信号３０の受信信号レベル値が小さくなる。
そこで、ＣＰＵ２３は、ＲＳＳＩ２２の検出レベルが高くなるように、アンテナインピーダンス調整器２９を調整するための制御信号２６を生成し、生成した制御信号２６をアンテナインピーダンス調整器２９に出力する。アンテナインピーダンス調整器２９は、入力した制御信号２６に基づいてインピーダンスを調整する。この結果、可変周波数ＤＰＸフィルタ２の端子３３からアンテナ１側を見たインピーダンスが、５０Ωに近くなる。
従って、可変周波数ＤＰＸフィルタ２のＲｘフィルタ３とＴｘフィルタ４の通過帯域の損失及び帯域外抑圧度を改善することができると共に、妨害キャンセラ４８を通る信号との相関を取ることもできることから、合成器１１でのキャンセル量も十分確保でき、キャンセルの効果が上がる。
【００２９】
なお、制御信号２６の生成には、ベースバンドブロック３２のＳＮ検出部２４で検出されるＳＮ比を用いても良いし、ＲＦＩＣブロック２１のＲＳＳＩ２２の信号レベル検出結果とＳＮ検出部２４のＳＮ比を併用しても良い。
上述の第１の実施例では、妨害キャンセラ４８にＤＰＸフィルタ２と同じ構成要素のフィルタを用い、送信信号メインパスの分岐部にはＲｘフィルタ５を接続し、受信信号メインパスの合成部にはＴｘフィルタ６を接続する構成としている。このように簡単な構成とすることで、第１の実施例によれば、送信信号のメインパス及び受信信号のメインパスの信号損失が小さい妨害キャンセラ４８が得られる。
また、アンテナインピーダンス調整器２９を設けて受信信号レベルの検出結果に基づいて制御することで、常に可変周波数ＤＰＸフィルタ２の端子３３からアンテナ１側を見たインピーダンスを５０Ωに近い値に設定することができる。従って、第１の実施例によれば、可変周波数ＤＰＸフィルタ２の通過帯域の損失増大や帯域外抑圧度の劣化を防ぎ、合成器１１での妨害成分のキャンセル量を十分確保できる。
【実施例２】
【００３０】
図２は、本発明の第２の実施例における移動通信端末向けのモジュールの一実施例の構成を示すブロック図である。図１で示した第１の実施例とほぼ同一の構成である。異なるところは、図１の実施例では、合成器１１でのキャンセル量を確保するためにアンテナインピーダンス調整器２９を制御したが、本実施例では、妨害キャンセラ４８内の終端器７のインピーダンスを制御する。また、アンテナインピーダンス調整器は、図１のアンテナインピーダンス調整器２９では、インピーダンスを可変調整したが、図２ではインピーダンスを可変調整しないので、区別するためにアンテナインピーダンス調整器２２９とした。同様に、終端器は、図１の終端器７では、インピーダンスを可変調整していないが、図２ではインピーダンスを可変調整するので、区別するために終端器２０７とした。さらに、ＣＰＵ２３から出力される制御信号は、図１の制御信号２６及び２８と異なり、終端器７を制御する信号であるので、区別するために、制御信号２２６及び２２８とした。
【００３１】
なお、送信信号のメインパスと受信信号のメインパスの構成及びそれらの動作は、アンテナインピーダンス調整器２２９及び終端器２０７であっても、図１と全く同じであるので、説明を省略する。
従って、図１と同様に、図２においても、Ｒｘフィルタ５は、受信信号の周波数帯域を通し、かつ、送信信号の周波数帯域に対してほぼ全反射のインピーダンスである。このため、Ｒｘフィルタ５を接続することによる送信信号の損失が殆どないという利点がある。
また同様に、図２においても、Ｔｘフィルタ６は、送信信号の周波数帯域を通し、かつ、受信信号の周波数帯域に対してほぼ全反射のインピーダンスである。このため、合成器１１を介してＴｘフィルタ６に漏れこんでくる受信信号が殆どない。従って、受信信号の損失も殆どないという利点がある。
【００３２】
図２の実施例においても、実施例１の図１で説明したように、アンテナ１のインピーダンスが外部の影響により変動した場合には、最終的に、合成器１１でのキャンセル量が劣化する。
これらの損失の増大及び劣化の発生を防ぐため、ＣＰＵ２３から終端器７に制御信号２２６を出力し、制御信号２２６を用いて終端器２０７内の可変素子を調整し、可変周波数ＤＰＸフィルタ２の端子３３からアンテナ１側を見たインピーダンスと終端器２０７のインピーダンスをほぼ同一になるように調整して、２つの信号間の相関が取れるようにしてキャンセル量を確保する。
【００３３】
即ち、ＣＰＵ２３は、終端器２０７を構成する素子のパラメータがデフォルト状態である場合には、入力された受信信号レベルをメモリ２７に出力する。メモリ２７は、制御信号２２８を介して入力された受信信号レベルを記憶する。ＣＰＵ２３は、終端器２０７を構成する素子のパラメータを、デフォルト状態のパラメータから１つずつパラメータを変更するように制御信号を終端器２０７に出力する。そして、パラメータの変更の都度、ＲＳＳＩ２２から入力された受信信号レベルと、終端器２０７の前回の状態の場合の受信信号レベルとを比較し、大きい値の受信信号レベルをメモリ２７に出力して記憶させる。即ち、ＣＰＵ２３は、受信信号レベルの最大値とその時の状態の終端器２０７を構成する素子のパラメータとをメモリ２７に記憶または更新させる。
【００３４】
図２の実施例に示すように、制御信号２２６は、受信信号３０のＳＮ比をベースバンドブロック３２のＳＮ検出器２４で検出した値を用いても良い。ＳＮ検出器２４で検出したＳＮ比が最大となるように、終端器２０７のインピーダンスを制御する。
【００３５】
図５Ｂによって、本発明の無線通信端末用モジュールに使用する終端器の一実施例を説明する。図５Ｂは、終端器２０７の一実施例の構成を示すブロック図である。４２は可変容量キャパシタ、４３は固定抵抗器、９は入力端子、１２は接地接続するための端子である。可変容量キャパシタ４２は、終端器２０７を構成する素子の１つであり、終端器２０７のパラメータを変更するための素子である。
図５Ｂによって、本発明の無線通信端末用モジュールに使用するアンテナインピーダンス調整器の一実施例を説明する。
図５Ｂの終端器２０７においては、制御信号２２６に基づいて、可変容量キャパシタ４２を制御し、受信する帯域に応じて、可変容量キャパシタ４２のキャパシタの調整を行う。
【００３６】
図１の実施例と同様に、妨害キャンセラ４８に可変周波数ＤＰＸフィルタ２と同じ構成要素のフィルタを用い、送信信号メインパスの分岐部にはＲｘフィルタ５を接続し、受信信号メインパスの合成部にはＴｘフィルタ６を接続する構成とすることで、簡単な構成でＴｘ、Ｒｘ部のメインパスの信号損失が小さい妨害キャンセラ４８が得られる。
また、終端器２０７のインピーダンスを、受信信号のＳＮ比の検出結果により制御することで、常に、可変周波数ＤＰＸフィルタ２の端子３３からアンテナ１側を見たインピーダンスと終端器２０７のインピーダンスをほぼ一致させることができる。このため、合成器１１での妨害成分のキャンセル量を十分確保でき、キャンセルの効果が上がる。
【実施例３】
【００３７】
図３は、本発明の第３の実施例における移動通信端末向けのモジュールの一実施例の構成を示すブロック図である。３６は検波器、２５は比較制御器、３４８は妨害キャンセラである。図３の実施例は、受信信号のメインパスのＲＦ部（図１の妨害キャンセラ４８の受信部）に検波器３６と比較制御器２５を設けたものであり、妨害キャンセラをＩＣ化する場合に、ＩＣ内部に取り込むことができるようにしたものである。例えば、合成器１１の出力側にＬＮＡ１３の他に検波器３６を設け、検波器３６の出力側に比較制御器２５を設け、比較制御器２５から出力される制御信号２６をアンテナインピーダンス調整器２９に与えたものである。さらに図３の実施例では、図１とは異なり、ＣＰＵ２３は、アンテナインピーダンス調整器２９に制御信号２６を出力せず、比較制御器２５がアンテナインピーダンス調整器２９に制御信号２６を出力している。
【００３８】
本実施例では、アンテナインピーダンスが５０Ωからずれた場合、可変周波数ＤＰＸフィルタ２のＲｘフィルタ３の損失が増えて検波器３６の検出結果は小さくなる。その結果、検波器３６で検出する受信信号レベルが小さくなる。
そこで、比較制御部２５は、検波器３６が検出する信号レベルが高くなるように、アンテナインピーダンス調整器２９を調整するための制御信号２６を生成し、生成した制御信号をアンテナインピーダンス調整器２９に出力する。アンテナインピーダンス調整器２９は、入力した制御信号２６に基づいてインピーダンスを調整する。この結果、可変周波数ＤＰＸフィルタ２の端子３３からアンテナ１側を見たインピーダンスが、５０Ωに近くなる。このように、検波器３６の検出レベルが高くなるようにアンテナインピーダンス調整器２９のインピーダンスを調整することで可変周波数ＤＰＸフィルタ２の端子３３からアンテナ１側を見たインピーダンスが５０Ωに近くなる。
【００３９】
即ち、比較制御器２５は、アンテナインピーダンス調整器２９を構成する素子のパラメータがデフォルト状態である場合には、検波器３６から入力された信号レベルをメモリ２７に出力する。メモリ２７は、制御信号２８を介して入力された信号レベルを記憶する。ＣＰＵ２３は、アンテナインピーダンス調整器２９を構成する素子のパラメータを、デフォルト状態のパラメータから１つずつパラメータを変更するように制御信号をアンテナインピーダンス調整器２９に出力する。そして、パラメータの変更の都度、検波器３６から入力された信号レベルと、アンテナインピーダンス調整器２９の前回の状態の場合の受信信号レベルとを比較し、大きい値の受信信号レベルをメモリ２７に出力して記憶させる。即ち、ＣＰＵ２３は、信号レベルの最大値とその時の状態のアンテナインピーダンス調整器２９を構成する素子のパラメータとをメモリ２７に記憶または更新させる。
【００４０】
従って、可変周波数ＤＰＸフィルタ２のＲｘフィルタ３とＴｘフィルタ４の通過帯域の損失及び帯域外抑圧度を改善することができると共に、妨害キャンセラ３４８を通る信号との相関を取ることもできることから、合成器１１でのキャンセル量を十分確保でき、キャンセルの効果が上がる。
【００４１】
なお、制御信号２６の生成には、ベースバンドブロック３２のＳＮ検出部２４で検出されるＳＮ比を用いても良いし、ＲＦＩＣブロック２１のＲＳＳＩ２２の信号レベル検出結果とＳＮ検出部２４のＳＮ比を併用しても良い。
また本実施例３では、妨害キャンセラ３４８には、可変周波数ＤＰＸフィルタ２と同じ構成要素のフィルタを用いる。例えば、送信信号のメインパスの分岐部（ＰＡ１４の出力段）に、Ｒｘフィルタ５を接続し、受信信号のメインパスの合成器１１には、Ｔｘフィルタ６を接続する構成とする。
これによって、簡単な構成で送信信号、受信信号それぞれのメインパスにおける通過帯域の信号損失が小さい妨害キャンセラ４８が得られる。
【００４２】
また、実施例３によれば、アンテナインピーダンス調整器２９を設けて、受信信号レベルの検出結果に基づいて、アンテナ１のインピーダンスを制御することで、常に、可変周波数ＤＰＸフィルタ２の端子３３からアンテナ１側を見たインピーダンスを５０Ωに近い値に設定することができる。このため、可変周波数ＤＰＸフィルタ２の通過帯域の損失及び帯域外抑圧度を改善すると共に、妨害キャンセラ４８を通る信号との相関も取れることから、合成器１１での妨害成分のキャンセル量を十分確保でき、キャンセルの効果の効果が上がる。
さらに、実施例３によれば、比較制御部２５が、受信信号のメインパスのＲＦ部に設けた検波回路３６の検波レベルでアンテナインピーダンス調整器２９を制御するので、高速な制御が可能である。
【実施例４】
【００４３】
図４は、本発明の第４の実施例における移動通信端末向けのモジュールの一実施例の構成を示すブロック図である。図４の実施例は、第３の実施例と同様に、図３で示した第３の実施例とほぼ同一の構成である。
異なるところは、図３の実施例では、合成器１１でのキャンセル量を確保するためにアンテナインピーダンス調整器２９を制御したが、本実施例では、妨害キャンセラ４４８内の終端器７のインピーダンスを制御する。
また、アンテナインピーダンス調整器は、図１と図３のアンテナインピーダンス調整器２９では、インピーダンスを可変調整したが、図４ではインピーダンスを可変調整しないので、図２と同様に区別するために、アンテナインピーダンス調整器２２９とした。
同様に、終端器は、図１と図３の終端器７では、インピーダンスを可変調整していないが、図４ではインピーダンスを可変調整するので、図２と同様に区別するために、終端器２０７とした。
さらに、ＣＰＵ２３から出力される制御信号は、図１の制御信号２６及び２８と異なり、終端器７を制御する信号であるので、区別するために、制御信号２２６及び２２８とした。
【００４４】
またさらに、図４の実施例では、図３では使用した検波器３６の替わりにＳＮ検波器４４を使用し、比較制御器２５の替わりに比較制御器４２５を使用している。
妨害キャンセラ４４８において、ＳＮ検波器４４は、合成器１１から出力される信号のＳＮ比を検出して、比較制御器４２５に出力する。
比較制御器４２５は、終端器２０７内の可変素子を調整し、ＳＮ検波器４４で得られるＳＮ比が最大となるように制御信号２２６を終端器２０７に出力する。
終端器２０７は、比較制御器４２５から出力された制御信号２２６に基づいて、インピーダンスを変更する。
【００４５】
なお、送信信号のメインパスと受信信号のメインパスの構成及びそれらの動作は、アンテナインピーダンス調整器２２９及び終端器２０７であっても、図１〜図３と全く同じであるので、説明を省略する。
従って、図３と同様に、図４においても、Ｒｘフィルタ５は、受信信号の周波数帯域を通し、かつ、送信信号の周波数帯域に対してほぼ全反射のインピーダンスである。このため、Ｒｘフィルタ５を接続することによる送信信号の損失が殆どないという利点がある。
また同様に、図４においても、Ｔｘフィルタ６は、送信信号の周波数帯域を通し、かつ、受信信号の周波数帯域に対してほぼ全反射のインピーダンスである。このため、合成器１１を介してＴｘフィルタ６に漏れこんでくる受信信号が殆どない。従って、受信信号の損失が殆どないという利点がある。
【００４６】
図４の実施例において、アンテナ１のインピーダンスが外部の影響により変動した場合には、可変周波数ＤＰＸフィルタ２の端子３３からアンテナ１側を見たインピーダンスが５０Ωからずれる。そして、可変周波数ＤＰＸフィルタ２を通る信号と妨害キャンセラ４４８を通る信号との相関が取れなくなり、合成器１１でのキャンセル量が劣化する。
この劣化を防ぐため、ＳＮ検波器４４と比較制御器４２５からの制御信号２２６を用いて終端器７内の可変素子を調整し、ＳＮ検波器４４で得られるＳＮ比を最大とするように制御することで、可変周波数ＤＰＸフィルタ２の端子３３からアンテナ１側を見たインピーダンスと、終端器２０７のインピーダンスを、ほぼ同一として、２つの信号間の相関が取れるようにしてキャンセル量を確保する。
なお、制御信号２２６の生成には、ベースバンドブロック３２のＳＮ検出部２４で検出されるＳＮ比を併用しても良い。また、ＲＦＩＣブロック２１のＲＳＳＩ２２の信号レベル検出結果を併用しても良い。
【００４７】
例えば、比較制御器４２５は、終端器７を構成する素子のパラメータがデフォルト状態である場合には、ＳＮ検波器４４から入力された信号レベルをメモリ２７に出力する。メモリ２７は、制御信号２８を介して入力された信号レベルを記憶する。比較制御器２５は、終端器７を構成する素子のパラメータを、デフォルト状態のパラメータから１つずつパラメータを変更するように制御信号２２６を終端器７に出力する。そして、パラメータの変更の都度、ＳＮ検波器４４から入力された信号レベルと、終端器７の前回の状態の場合の信号レベルとを比較し、大きい値の信号レベルをメモリ２７に出力して記憶させる。即ち、比較制御器２５は、信号レベルの最大値とその時の状態の終端器７を構成する素子のパラメータとをメモリ２７に記憶または更新させる。
【００４８】
実施例４では、妨害キャンセラ４４８に可変周波数ＤＰＸフィルタ２と同じ構成要素のフィルタを用い、送信信号メインパスの分岐部にはＲｘフィルタ５を接続し、受信信号メインパスの合成部にはＴｘフィルタ６を接続する構成とすることで、簡単な構成で送信信号のメインパス及び受信信号のメインパスの信号損失が小さい妨害キャンセラ４８が得られる。
また、受信信号のＳＮ比の検出結果に基づいて終端器２０７のインピーダンスを制御することによって、常に、可変周波数ＤＰＸフィルタ２の端子３３からアンテナ１側を見たインピーダンスと終端インピーダンスを近い値（ほぼ同じ値）に設定することができる。この結果、合成器１１での妨害成分のキャンセル量を十分確保できる。
また、受信ＲＦ部にＳＮ検波回路４４を設け、ＳＮ検波回路４４が検波したＳＮ比を用いて終端器２０７のインピーダンスを制御することによって、ＲＦ部で閉ループ制御が可能であり、高速な制御が可能である。
【００４９】
図６に、本発明の無線通信端末モジュール及び無線通信方法の一実施例のタイムチャートを示す。図６のタイムチャートと図３の無線通信端末モジュールの構成例を用いて、本発明の制御シーケンスの一実施例を説明する。図６は、上述の実施例１及び実施例３に適用可能である。
ＷＣＤＭＡ方式では、移動通信端末の立ち上げ時には、基地局からの共通パイロットチャンネルであるＣＰＩＣＨ（Common Pilot Channel）を受信して、受信信号レベルに応じたＲＡＣＨ（Random Access Channel）送信信号を基地局に送信する。そして、移動通信端末は、基地局からＡＩＣＨ（Acquisition Indication Channel）信号を受信した時点で、基地局とのリンクを形成する。
【００５０】
移動通信端末の立ち上げ時に、アンテナインピーダンスにずれが生じていた場合には、受信ＣＰＩＣＨ信号レベルや送信信号等の妨害抑圧レベルが低下すると共に、送信系から可変周波数ＤＰＸフィルタ２を通る系と、妨害キャンセラ４８や３４８を通る系の相関が低下し、ＲＡＣＨ送信時に過大な送信信号が受信側に混入して、ＣＰＩＣＨ等の受信信号を受信できなくなる恐れがある。
これを避けるため、移動通信端末の立ち上げ時には、移動通信端末から基地局に信号を送信する前に、短時間でアンテナインピーダンスずれを検出して制御する必要がある。
【００５１】
図６のタイムチャートは、移動通信端末の立ち上げ時に、移動通信端末から基地局に信号を送信する前に、アンテナインピーダンスを制御するシーケンスを示している。
まず、始めに、アンテナインピーダンス調整器は、メモリ２７からのデータでデフォルト設定状態である。例えば、アンテナインピーダンス調整器は、インダクタ４０に設定され、そのインダクタンスは、インダクタンスＬ１である。
このとき、比較制御器２５は、検波器３６によって検波された受信ＣＰＩＣＨ信号の受信レベルと、デフォルトの受信レベルとを比較して、次にインダクタ３９を選択するように制御する。この時、比較制御器２５は、インダクタ４０のときに検波された制御信号２８を介して受信信号レベルをメモリ２７に出力し、メモリ２７に記憶させる。
次に、検波器３６で信号レベルを検波し、前の検波結果（インダクタ４０設定時）と比較して大きい値のインダクタを選択する。
次にキャパシタＣ１の調整に入る。キャパシタＣ１のキャパシタンスをあらかじめ定められた新規値に設定し、検波器３６でレベル検波する。検波した信号レベルを前の値と比較して大きい信号レベルが得られた場合には、当該大きい値のキャパシタＣ１のキャパシタンスとその時に検波した信号レベルをメモリ２７に保存すると共に、キャパシタＣ１を新規値に設定する。これを何度か（例えば、１０回程度）繰り返して、キャパシタＣ１を最適値（最も大きな検波信号レベルが得られる場合のキャパシタンスを有するキャパシタ）に設定する。キャパシタＣ２についても同様に制御して、最適値に設定する。
【００５２】
本実施例では、インダクタのインダクタを２種類、可変容量キャパシタを２種類としたため、約２．４ｍｓで最適値に収束する。しかし、さらにインダクタやキャパシタの素子数を増やし、高精度の制御を行っても良い。その場合は、収束までさらに時間が必要となる。
【００５３】
図７に、本シーケンスのフローチャートを示す。図７は、本発明の無線通信端末モジュール及び無線通信方法の一実施例で用いるアンテナインピーダンス調整器制御を説明するフローチャートである。図７のフローチャートは、図３の構成の移動通信端末向けのモジュールを用い、比較制御器２５が、アンテナインピーダンス調整器２９を制御信号２６によって制御することによって実行される。
移動無線端末モジュールにおいて、移動通信端末の立ち上げ時に、移動通信端末から基地局に信号を送信する前に、アンテナインピーダンスの制御を開始し、ステップＳ７０１の処理に移行する。
まずステップＳ７０１では、メモリ２７に、受信チャネルのデータをセットし、ステップＳ７０２の処理に移行する。
ステップＳ７０２では、ＳＷ４１を制御して、所定のインダクタを入力端子８に接続し、ステップＳ７０３の処理に移行する。例えば、調整の初回には、インダクタＬ１を接続する。
ステップＳ７０３では、検波器３６が検波した受信ＣＰＩＣＨ信号レベルを取得し、ステップＳ７０４の処理に移行する。
ステップＳ７０４では、メモリ２７にインダクタＬ１のインダクタンスの値と検波した信号レベルを保存し、ステップＳ７０５の処理に移行する。
ステップＳ７０５では、検波した信号レベルが、最適レベルにあるか否かを判定し、最適レベルでなければ、アンテナインピーダンス調整器２９を制御して次のインダクタに変更し、ステップＳ７０３の処理に移行する。また、最適レベルであれば、ステップＳ７０６の処理に移行する。
ステップＳ７０６では、検波した信号レベルとインダクタンスの値をメモリ２７に記憶し、ステップＳ７０７の処理に移行する。
【００５４】
ステップＳ７０７では、キャパシタＣ１の値を設定し、ステップＳ７０８の処理に移行する。例えば、調整の初回には、キャパシタＣ１を初期値に設定する。
ステップＳ７０８では、検波器３６が検波した受信ＣＰＩＣＨ信号レベルを取得し、ステップＳ７０９の処理に移行する。
ステップＳ７０９では、メモリ２７にキャパシタＣ１のキャパシタンスの値と検波した信号レベルを保存し、ステップＳ７１０の処理に移行する。
ステップＳ７１０では、検波した信号レベルが、最適レベルにあるか否かを判定し、最適レベルでなければ、アンテナインピーダンス調整器２９を制御してキャパシタＣ１のキャパシタ値を次の値に変更し、ステップＳ７０７の処理に移行する。また、最適レベルであれば、ステップＳ７１１の処理に移行する。
ステップＳ７１１では、検波した信号レベルとキャパシタＣ１のキャパシタンスの値をメモリ２７に記憶し、ステップＳ７１２の処理に移行する。
【００５５】
ステップＳ７１２では、キャパシタＣ２の値を設定し、ステップＳ７１３の処理に移行する。例えば、調整の初回には、キャパシタＣ２を初期値に設定する。
ステップＳ７１３では、検波器３６が検波した受信ＣＰＩＣＨ信号レベルを取得し、ステップＳ７１４の処理に移行する。
ステップＳ７１４では、メモリ２７にキャパシタＣ２のキャパシタンスの値と検波した信号レベルを保存し、ステップＳ７１５の処理に移行する。
ステップＳ７１５では、検波した信号レベルが、最適レベルにあるか否かを判定し、最適レベルでなければ、アンテナインピーダンス調整器２９を制御してキャパシタＣ２のキャパシタ値を次の値に変更し、ステップＳ７１２の処理に移行する。また、最適レベルであれば、ステップＳ７１６の処理に移行する。
ステップＳ７１６では、検波した信号レベルとキャパシタＣ２のキャパシタンスの値をメモリ２７に記憶して初期値の設定が終了し、アンテナインピーダンス調整器制御を終了する。
【００５６】
上記で示した動作のフローで初期設定が終了し、これによりアンテナインピーダンスが最適値に設定される。この後、移動無線端末より基地局に向けてＲＡＣＨ等の信号を送信して、基地局とのリンク動作に入る。なお、本実施例では、移動無線端末の初期立ち上げ時にアンテナインピーダンス最適化制御を行うフローについて説明したが、動作時においてもほぼ同等な制御フローを実施しても良い。
【符号の説明】
【００５７】
１：アンテナ、  ２：可変周波数ＤＰＸフィルタ、  ３：Ｒｘフィルタ、  ４：Ｔｘフィルタ、  ５：Ｒｘフィルタ、  ６：Ｔｘフィルタ、  ７、２０７：終端器、  ８、９、１０、１２：端子、  １１：合成器、  １３：ＬＮＡ、  １４：ＰＡ、  １５、１８：局部発信器、  １６、１９：周波数シンセサイザ（ローカル）、  １７：変調器、  ２０：ミキサ、  ２１：ＲＦＩＣブロック、  ２２：ＲＳＳＩ、  ２３：ＣＰＵ、２４：ＳＮ検出器、  ２５、４２５：比較制御器、  ２６、２２６：制御信号、  ２７：メモリ、  ２８、２２８：制御信号、  ２９、２２９：アンテナインピーダンス調整器、  ３０：受信信号、  ３１：送信信号、  ３２：ベースバンドブロック（ＢＢ）、  ３３、３４、３５：端子、  ３６：検波器、  ４４：ＳＮ検波器、  ４８、３４８：妨害キャンセラ。
【図１】
2013168790.tif 000003
【図２】
2013168790.tif 000004
【図３】
2013168790.tif 000005
【図４】
2013168790.tif 000006
【図５Ａ】
2013168790.tif 000007
【図５Ｂ】
2013168790.tif 000008
【図６】
2013168790.tif 000009
【図７】
2013168790.tif 000010
【図８】
2013168790.tif 000011